(57)【特許請求の範囲】
【請求項１】
電子機器において、
上側筐体と、
前記上側筐体が開閉自在に連結され、該上側筐体との連結部近傍を通る信号線路が形成され該信号線路に信号線が配設された下側筐体と、
前記下側筐体に収容された基部、該基部に立設し該下側筐体上面よりも上に突出して前記上側筐体を下から受け止める受け部、および前記基部から前方に突出して前記信号線路の上に延びる第１のヒレ部を有する受け部材とを備えたことを特徴とする電子機器。
【請求項２】
前記受け部材の、前記信号線路を間に挟んだ反対側に配置されて該信号線路を形成する信号線路形成部材であって、後方に突出して該信号線路の上に延びる第２のヒレ部を有する信号線路形成部材を備えたことを特徴とする請求項１記載の電子機器。
【請求項３】
前記上側筐体は、前記下側筐体に対し開閉自在かつ開状態において該下側筐体上面に垂直な回転軸のまわりに回転自在な二軸の連結部材を介在させて該下側筐体に連結されたものであることを特徴とする請求項１または２記載の電子機器。
【請求項４】
前記受け部材は、前記受け部が、前記上側筐体の該受け部に接する部分よりも低い硬度を有するものであることを特徴とする請求項１から３のうちいずれか１項記載の電子機器。
【請求項５】
前記第１のヒレ部が、弾性変形自在であることを特徴とする請求項１から４のうちいずれか１項記載の電子機器。
【請求項６】
前記信号線路が溝状に形成されたものであることを特徴とする請求項１から５のうちいずれか１項記載の電子機器。
【請求項７】
前記上側筐体は、情報を表示する表示画面を有するものであることを特徴とする請求項１から６のうちいずれか１項記載の電子機器。
【請求項８】
前記下側筐体は、操作に応じた指示を入力するキーボードを備えたものであることを特徴とする請求項１から７のうちいずれか１項記載の電子機器。
【請求項９】
前記上側筐体および前記下側筐体双方が電子部品を収容したものであって、
前記信号線路に配設された信号線は、前記上側筐体に収容された電子部品と前記下側筐体に収容された電子部品とを接続する信号線であることを特徴とする請求項１から８のうちいずれか１項記載の電子機器。
【請求項１０】
前記上側筐体が、無線アンテナを含む電子部品が収容されたものであることを特徴とする請求項９記載の電子機器。
【請求項１１】
上側筐体と、
前記上側筐体が開閉自在に連結され、該上側筐体との連結部近傍を通る信号線路が形成され該信号線路に信号線が配設された下側筐体と、
を備える電子機器における前記上側筐体を受ける受け部材において、
前記下側筐体に収容された基部と、
該基部に立設し該下側筐体上面よりも上に突出して前記上側筐体を下から受け止める受け部と、
前記基部から前方に突出して前記信号線路の上に延びる第１のヒレ部と備えたことを特徴とする受け部材。
【発明の詳細な説明】
【技術分野】
【０００１】
本発明は、第１筐体に対して第２筐体が開閉自在に連結された電子機器に関する。
【背景技術】
【０００２】
ラップトップ型のパーソナルコンピュータや携帯電話機などといった携帯型の電子機器においては、キーボードやプッシュボタンが設けられた下側筐体に対し、表示画面が設けられた上側筐体を開閉自在に連結した構造が広く使用されている。このような電子機器では、下側筐体と上側筐体とが重なるように折り畳んで持ち運び、操作するときに、上側筐体を開いてキーボードやプッシュボタンを利用することができ、キーボードやプッシュボタンなどを小型化することなく、装置の携帯性を向上させている。
【０００３】
また、近年では、携帯電話機だけではなく、ラップトップ型のパーソナルコンピュータにも、通信機能や撮影機能が搭載されてきている（例えば、特許文献１参照）。通信機能や撮影機能が搭載されたパーソナルコンピュータでは、アンテナやカメラなどといった電子部品が上側筐体内の表示画面の脇に取り付けられていることが多く、電子部品で得られた情報は信号線によって下側筐体内の制御回路に伝達される。
【０００４】
ここで、上側筐体および下側筐体の内部には、上述したカメラやアンテナ、表示パネル、キーボード、および制御回路などといった多くの電子部品が配備されており、それらの電子部品が信号線によって接続されている。通常は、筐体内に信号線用の溝が設けられており、その溝に信号線が配設されることが一般的である。しかし、信号線を溝に嵌めるだけでは信号線が溝から外れてしまいやすく、電子機器を組み立てる際に、他の電子部品の設置の邪魔になってしまったり、引っ張られて信号線が電子部品から外れてしまう恐れがある。このような問題を解決する方法として、溝に配設された信号線を、さらにテープで溝に固定することも行われている。
【特許文献１】特開２００５−１３６９１２号公報
【発明の開示】
【発明が解決しようとする課題】
【０００５】
しかし、信号線を溝に配設し、さらに信号線にテープを貼り付ける方法では、電子機器の組立工程が増加してしまううえ、製造コストの上昇を招いてしまう。また、電子機器を修理する際には、テープを剥がしてから信号線を取り出し、修理が終わった後で、再びテープを貼り直す必要があり、大変面倒であるという問題もある。また、電子部品が発する熱で高温となり得る電子機器内の環境下では、テープはその経年劣化が促進し、短期間で剥がれやすくなって信号線を固定維持する機能を果たさなくなってしまう。特に、携帯型の電子機器の場合、持ち運びによる振動によってテープはより剥がれやすくなる。
【０００６】
また、このような問題は、パーソナルコンピュータや携帯電話機にのみ生じる問題ではなく、筐体内部に信号線が配線された電子機器に一般的に生じる問題である。
【０００７】
本発明は、上記事情に鑑み、コストの上昇を抑えて、信号線を筐体内に容易に固定することができる電子機器を提供することを目的とする。また、そのような電子機器を提供するための部材を提供することを目的とする。
【課題を解決するための手段】
【０００８】
上記目的を達成する本発明の電子機器において、
上側筐体と、
上側筐体が開閉自在に連結され、上側筐体との連結部近傍を通る信号線路が形成され信号線路に信号線が配設された下側筐体と、
下側筐体に収容された基部、基部に立設し下側筐体上面よりも上に突出して上側筐体を下から受け止める受け部、および基部から前方に突出して信号線路の上に延びる第１のヒレ部を有する受け部材とを備えたことを特徴とする。
【０００９】
本発明の電子機器によると、受け部材の受け部が、上側筐体を下から受け止め、受け部材の第１のヒレ部が、信号線路の上の延びて信号線路に配設された信号線を上から押さえる。このため、本発明の電子機器では、信号線にテープを貼り付ける手間を省き、かつ部品点数の増加を抑えることによりコストを抑えて信号線を信号線路に保持することができる。
【００１０】
また、本発明の電子機器において、受け部材の、信号線路を間に挟んだ反対側に配置されて信号線路を形成する信号線路形成部材であって、後方に突出して信号線路の上に延びる第２のヒレ部を有する信号線路形成部材を備えたことが好ましい。
【００１１】
第１のヒレ部と第２のヒレ部とが信号線路の上に相互に反対側から延びることとなり、信号線をより確実に信号線路に保持することができる。
【００１２】
また、本発明の電子機器において、上側筐体は、下側筐体に対し開閉自在かつ開状態において下側筐体上面に垂直な回転軸のまわりに回転自在な二軸の連結部材を介在させて該下側筐体に連結されたものであることが好適である。
【００１３】
近年、キーボードなどを使った通常の入力操作に加えて、タッチペンなどで表示画面上を指定することによって指示を入力することができるパーソナルコンピュータが開発されてきている。この好適な電子機器によると、例えば、タブレット機能を利用する場合には、表示装置を演算装置に対して開いて表示画面を外側に向けて回転させ、
さらに表示装置を閉じて演算装置上に重ねることができ、操作性を向上させることができる。
【００１４】
また、本発明の電子機器において、受け部材は、受け部が、上側筐体の受け部に接する部分よりも低い硬度を有するものであることが好ましい。
【００１５】
受け部材の受け部が、上側筐体の受け部と接する部分よりも低い硬度を有するものであることによって、上側筐体の磨耗を軽減することができる。
【００１６】
また、本発明の電子機器において、第１のヒレ部が、弾性変形自在であることが好適である。
【００１７】
この好適な電子機器によると、信号線路上で信号線を押すことによって、第１のヒレ部が撓んで信号線が信号線路に嵌り、さらに第１のヒレ部が弾性によって元に戻るため、信号線を第１のヒレ部の下に容易に配設することができる。
【００１８】
また、本発明の電子機器において、信号線路が溝状に形成されたものであることが好ましい。
【００１９】
信号線が溝状の信号線路に配設されることによって、信号線をより確実に保持することができる。
【００２０】
また、本発明の電子機器において、上側筐体は、情報を表示する表示画面を有するものであることが好ましい。
【００２１】
また、本発明の電子機器において、下側筐体は、操作に応じた指示を入力するキーボードを備えたものであることが好ましい。
【００２２】
また、本発明の電子機器において、上側筐体および下側筐体双方が電子部品を収容したものであって、
信号線路に配設された信号線は、上側筐体に収容された電子部品と下側筐体に収容された電子部品とを接続する信号線であることが好ましい。
【００２３】
パーソナルコンピュータなどの電子機器では、上側筐体に表示画面や無線アンテナなどの電子部品が搭載されており、それらの電子部品が信号線によって下側筐体内に搭載されたＣＰＵなどに接続されている。本発明の電子機器は、このようなパーソナルコンピュータなどにも広く適用することができる。
【００２４】
また、本発明の電子機器において、上側筐体が、無線アンテナを含む電子部品が収容されたものであることが好適である。
【００２５】
近年、ラップトップ型のパーソナルコンピュータなどにも、下側筐体に対し上側筐体を開いた状態において上部となる上側筐体の位置に無線アンテナを取り付けることが行われている。この好適な電子機器によると、無線通信機能を搭載した電子機器においても、信号線路に信号線を容易に保持することができる。
【００２６】
また、本発明の電子機器において、表示画面に、上側筐体に対し下側筐体を開いた第１の使用状態では回転軸の方向を上下方向として情報を表示する第１の表示モードで情報を表示し、
上側筐体を下側筐体上に、表示画面を外側に向けて重ねた第２の使用状態では、回転軸とは垂直な方向を上下方向として情報を表示する第２の表示モードで情報を表示する表示制御手段を備えたことが好ましい。
【００２７】
タブレットモードを有するパーソナルコンピュータでは、キーボードなどを使った通常の使用状態（第１の使用状態）では、回転軸の方向を上下方向として表示画面を横長の状態で使用し、タブレットモードで使用する場合（第２の使用状態）では、回転軸と垂直な方向を上下方向として表示画面を縦長の状態で使用したいという要望が高い。本発明の電子機器によると、第１の使用状態および第２の使用状態それぞれの用途に合った向きで情報を表示させることができる。
【００２８】
また、  上記目的を達成する本発明の受け部材において、
上側筐体と、上記上側筐体が開閉自在に連結され、該上側筐体との連結部近傍を通る信号線路が形成され該信号線路に信号線が配設された下側筐体と、を備える電子機器における上記上側筐体を受ける受け部材において、
上記下側筐体に収容された基部と、
該基部に立設し該下側筐体上面よりも上に突出して上記上側筐体を下から受け止める受け部と、
上記基部から前方に突出して上記信号線路の上に延びる第１のヒレ部と備えたことを特徴とする。
【００２９】
本発明の受け部材によると、受け部が、上側筐体を下から受け止め、受け部材の第１のヒレ部が、信号線路の上の延びて信号線路に配設された信号線を上から押さえる。このため、本発明の受け部材が適用された電子機器では、信号線にテープを貼り付ける手間を省き、かつ部品点数の増加を抑えることによりコストを抑えて信号線を信号線路に保持することができる。
【発明の効果】
【００３０】
本発明によれば、コストの上昇を抑えて、信号線を筐体内に容易に固定することができる。
【発明を実施するための最良の形態】
【００３１】
以下、図面を参照して本発明の実施の形態を説明する。
【００３２】
図１は、本発明の一実施形態が適用されたパーソナルコンピュータの外観斜視図である。
【００３３】
図１に示すパーソナルコンピュータ１０は、電磁誘導形デジタイザを表示画面３１の裏側に搭載し、スタイラスペンで指示された表示画面３１上の位置を検出することにより指示入力を可能とする入力デバイスを備えている。なお、この入力デバイスとして、デジタイザとスタイラスペンに替えて表示画面３１上に搭載するタッチパネルを採用してもよい。
【００３４】
パーソナルコンピュータ１０は、本体ユニット２０と表示ユニット３０を備えており、これら本体ユニット２０と表示ユニット３０は、表示ユニット３０が本体ユニット２０に対し矢印Ａ−Ａ方向に開閉自在および矢印Ｂ−Ｂ方向（本体ユニット２０に対して垂直な回動軸のまわり）に回動自在となるように、二軸の連結ユニット４０で連結されている。この図１には、表示ユニット３０が本体ユニット２０に対し開いた状態（開状態）にあるパーソナルコンピュータ１０が示されており、この開状態は、本発明にいう第１の使用状態に相当する。
【００３５】
本体ユニット２０には、キーボード２１、トラックパッド２２、左クリックボタン２３、右クリックボタン２４が備えられており、さらに、表示ユニット３０を下から受け止める表示ユニット受け部材３４が設けられている。表示ユニット受け部材３４は、本発明にいう受け部材の一例に相当する。また、本体ユニット２０の一側面には、ＣＤやＤＶＤ等の光ディスクを搭載して駆動しアクセスする光ディスクドライブ２６の開閉蓋２６ａが備えられており、その開閉蓋２６ａには、それを押すことによってその開閉蓋２６ａが開くイジェクトボタン２６ｂが設けられている。
【００３６】
パーソナルコンピュータ１０の表示ユニット３０は、その前面に表示画面３１が広がっている。表示ユニット３０には、その表示画面３１よりも下方の右端にいくつかの押ボタン３２が設けられており、左端には、指先がなぞられることによって指紋認証を行う指紋センサ３３が備えられている。また、表示ユニット３０は、前方ケース３２Ａおよび後方ケース３２Ｂによって表示画面３１が前後から挟まれており、前方ケース３２Ａと後方ケース３２Ｂとで構成された空間内には、通信を行うためのアンテナ（後述する）などが配置されている。図１に示す開状態では、表示画面３１上に、表示ユニット３０の回転軸の方向を上下方向として情報が表示される。
【００３７】
図２は、表示ユニット３０を本体ユニット２０上に閉じた状態の電子装置を示す外観斜視図である。
【００３８】
図２では、表示ユニット３０は、表示画面３１（図１参照）を本体ユニット２０に向けて重ねられた状態にある。以下では、これを第１の閉状態と称する。
【００３９】
図１に示す開状態において、表示ユニット３０が矢印Ａ方向に閉じられると、図２に示すように、表示画面３１が内側に隠蔽されて、表示画面３１に対する裏面が外側に剥き出しになった第１の閉状態となる。この第１の閉状態では、表示画面３１の汚れや破損を回避して、パーソナルコンピュータ１０を持ち運ぶことができる。
【００４０】
図３は、表示ユニットを本体ユニットに対しほぼ９０°回動させた状態を示す外観斜視図である。
【００４１】
表示ユニット３０を、この状態を経由し、さらに表示画面３１の裏側が前方を向くように回すことができる。
【００４２】
図４は、表示ユニットが表示画面を上に向けて本体ユニット重ねられた状態を示す外観斜視図である。
【００４３】
表示ユニット３０を、図３に示す姿勢を経由してさらに表示画面３１の裏側が前方を向くように回し、その状態で、その表示ユニット３０の、表示画面３１に対する裏面を本体ユニット２０に向けて表示ユニット３０を本体ユニット２０に重ねると、図４に示す第２の閉状態となる。この第２の閉状態は、本発明にいう第２の使用状態の一例にあたる。以下では、第２の閉状態でパーソナルコンピュータ１０を使用する操作モードをタブレットモードと称する。
【００４４】
上述したように、この表示画面３１は、その裏側に電磁誘導形デジタイザを備えて表示画面上の指示位置を検出するペン入力機能付きの表示画面であり、通常は、このタブレットモードにあるパーソナルコンピュータ１０を一方の腕にかかえ、他方の手にペン（図示せず）を持って表示画面を操作するという使用態様が採用される。このタブレットモードにあるパーソナルコンピュータ１０を腕にかかえたときの視線との関係から、図１に示す開状態と比べ、表示画面３１上の表示画像は９０°その向きが回転している。すなわち、タブレットモードでは、表示画面３１上に、表示ユニット３０の回転軸と垂直な方向を上下方向として情報が表示される。
【００４５】
続いて、パーソナルコンピュータ１０の内部構成について説明する。
【００４６】
図５は、パーソナルコンピュータ１０の内部構成図である。
【００４７】
パーソナルコンピュータ１０には、図５に示すように、各種プログラムを実行するＣＰＵ１０１、ハードディスク装置１０３に格納されたプログラムが読み出されＣＰＵ１０１での実行のために展開される主メモリ１０２、各種プログラムやデータ等が保存されたハードディスク装置１０３、情報表示に関する処理を司る表示機構１０４、図１にも示す指紋センサ３３、キーボード２１やトラックパッド２２などを含む操作子１０６、小型記録媒体２００が装填され、装填された小型記録媒体２００をアクセスする小型記録媒体ドライブ１０８、ＣＤ−ＲＯＭ２１０やＤＶＤが装填され、その装填されたＣＤ−ＲＯＭ２１０やＤＶＤをアクセスするＣＤ／ＤＶＤドライブ１０９、外部装置からデータを入力する入力インタフェース１０５、外部装置へデータを出力する出力インタフェース１１０、電波を送受信するアンテナ４００、およびアンテナ４００を使った無線通信を行う無線インタフェース１１１などが内蔵されており、これらの各種要素は、バス１１１を介して相互に接続されている。尚、表示機構１０４は、図１に示す表示画面３１上に表示する情報の向きなどを制御する表示制御装置１０４１、表示画面３１上に情報を表示する表示装置１０４２、および表示画面３１上の裏側に搭載されスタイラスペンによる指示位置を検出するデジタイザ１０４３で構成されている。表示制御装置１０４１は、本発明にいう表示制御部の一例にあたり、アンテナ４００は、本発明にいう電子部品の一例にあたるとともに、本発明にいうアンテナの一例にも相当する。
【００４８】
続いて、表示ユニット３０に搭載されたアンテナ４００と、本体ユニット２０内に搭載されたＣＰＵ１０１とを接続する信号線の配設方法について詳しく説明する。
【００４９】
図６は、図１に示す前方カバー３２Ａを外した状態の表示ユニット３０を示す図である。
【００５０】
表示パネル３１０は、図１に示す表示画面３１が表面に形成されており、裏面側にはデジタイザ１０４３（図５参照）が配置されている。表示パネル３１０には、両側縁に弾性部材３２０が取り付けられている。
【００５１】
また、表示ユニット３０の後方カバー３２Ｂには、弾性部材３２０が取り付けられた状態で表示パネル３１０が収容されており、上方に電波を送受信するアンテナ４００が取り付けられている。アンテナ４００には信号線４０１が接続されており、この信号線４０１は、アンテナ４００から延びて連結部材４０を通り、図１に示す本体ユニット２０内のＣＰＵ１０１（図５参照）に接続されている。信号線４０１は、本発明にいう信号線の一例に相当する。
【００５２】
図７は、本体ユニット２０の、表示ユニット受け部材３４が設けられた付近の内部構成図である。
【００５３】
本体ユニット２０の内部には、図５に示すＣＰＵ１０１を含む制御回路基板５００などが収容されている。本体ユニット２０には、制御回路基板５００の上方がカバー２０ｂで覆われており、制御回路基板５００と他の部品との接触が防止されている。カバー２０ｂには、連結部材４０から制御回路基板５００に向けて延びた溝２０ｃが設けられており、さらに、後方に突出して溝２０ｃの上に延びたカバー側ヒレ部２０ａも形成されている。カバー２０ｂは、本発明にいう信号線形成部材の一例にあたり、溝２０ｃは、本発明にいう信号線路の一例にあたり、カバー側ヒレ部２０ａは、本発明にいう第２のヒレ部の一例に相当する。
【００５４】
また、表示ユニット受け部材３４は、本体ユニット２０に固定された固定部３４３と、固定部３４３から上方に延びて本体ユニット２０に設けられた穴２０ｄから突出し、本体ユニット２０を下から受け止める受け部３４２と、固定部３４３から前方に突出して溝２０ｃの上に延びた受け側ヒレ部３４１とを備えている。固定部３４３は、本発明にいう基部の一例にあたり、受け部３４２は、本発明にいう受け部の一例にあたり、受け側ヒレ部３４１は、本発明にいう第１のヒレ部の一例に相当する。受け部３４２は、表示ユニット３０の、受け部３４２と接触する前方カバー３２Ａや後方カバー３２Ｂよりも硬度が低く、受け側ヒレ部３４１は、弾性変形自在な形状を有している。受け部３４２が前方カバー３２Ａや後方カバー３２Ｂよりも低硬度であることによって、前方カバー３２Ａや後方カバー３２Ｂの磨耗が軽減される。本実施形態としては、表示ユニット受け部材３４全体がハイトレル（東レ株式会社製：登録商標）で構成されており、受け側ヒレ部３４１は、受け部３４２などよりも薄く形成されることによって、上下方向に撓むようになっている。
【００５５】
図６に示すアンテナ４００から延びた信号線４０１は、本体ユニット２０内の溝２０ｃに配設されて、制御回路基板５００に繋げられている。信号線４０１は、受け側ヒレ部３４１と受け側ヒレ部３４１とによって溝２０ｃに保持されているため、溝２０ｃから信号線４０１が外れて、他の電子部品の組み立ての邪魔になってしまったり、引っ張られて制御回路基板５００などから外れてしまう不具合を防止することができる。
【００５６】
また、信号線４０１を配線するときには、図６に示すアンテナ４００に信号線４０１を繋いで連結部材４０にまで配設し、さらに、連結部材４０を通して本体ユニット２０の溝２０ｃに配設する。このとき、受け側ヒレ部３４１の上から信号線４０１を押し込むと、受け側ヒレ部３４１が撓んで信号線４０１が溝２０ｃに嵌り、受け側ヒレ部３４１が元に戻って信号線４０１を溝２０ｃに保持する。このように、本実施形態によると、信号線４０１を溝２０ｃに押し込むだけで、テープなどを使わずに容易に信号線４０１を固定することができ、製造工程における作業の手間を軽減することができる。また、本実施形態では、表示ユニット受け部材３４が表示ユニット３０を受け止める役割と、信号線４０１を保持する役割とを担っているため、部品点数を増加させず、製造コストを抑えることができる。
【００５７】
ここで、上記では、本発明の電子機器をタブレットモードを有するパーソナルコンピュータに適用する例について説明したが、本発明の電子機器は、タブレット機能が搭載されていない通常のパーソナルコンピュータであってもよく、さらに、電子手帳などに適用してもよい。
【００５８】
また、上記では表示ユニット受け部材をハイトレル（東レ株式会社製：登録商標）で構成する例について説明したが、本発明における受け部材は、ハイトレル（東レ株式会社製：登録商標）以外のプラスチックなどで構成されたものであってもよい。
【００５９】
また、上記では、表示ユニット受け全体を１つの材料で構成する例について説明したが、本発明における受け部材は、受け部、または第１のヒレ部を、例えば２色成型により異なる材料で構成するものであってもよい。
【００６０】
以下、本発明の各種形態について付記する。
【００６１】
（付記１）
電子機器において、
上側筐体と、
前記上側筐体が開閉自在に連結され、該上側筐体との連結部近傍を通る信号線路が形成され該信号線路に信号線が配設された下側筐体と、
前記下側筐体に収容された基部、該基部に立設し該下側筐体上面よりも上に突出して前記上側筐体を下から受け止める受け部、および前記基部から前方に突出して前記信号線路の上に延びる第１のヒレ部を有する受け部材とを備えたことを特徴とする電子機器。
【００６２】
（付記２）
前記受け部材の、前記信号線路を間に挟んだ反対側に配置されて該信号線路を形成する信号線路形成部材であって、後方に突出して該信号線路の上に延びる第２のヒレ部を有する信号線路形成部材を備えたことを特徴とする付記１記載の電子機器。
【００６３】
（付記３）
前記上側筐体は、前記下側筐体に対し開閉自在かつ開状態において該下側筐体上面に垂直な回転軸のまわりに回転自在な二軸の連結部材を介在させて該下側筐体に連結されたものであることを特徴とする付記１または２記載の電子機器。
【００６４】
（付記４）
前記受け部材は、前記受け部が、前記上側筐体の該受け部に接する部分よりも低い硬度を有するものであることを特徴とする付記１から３のうちいずれか１項記載の電子機器。
【００６５】
（付記５）
前記第１のヒレ部が、弾性変形自在であることを特徴とする付記１から４のうちいずれか１項記載の電子機器。
【００６６】
（付記６）
前記信号線路が溝状に形成されたものであることを特徴とする付記１から５のうちいずれか１項記載の電子機器。
【００６７】
（付記７）
前記上側筐体は、情報を表示する表示画面を有するものであることを特徴とする付記１から６のうちいずれか１項記載の電子機器。
【００６８】
（付記８）
前記下側筐体は、操作に応じた指示を入力するキーボードを備えたものであることを特徴とする付記１から７のうちいずれか１項記載の電子機器。
【００６９】
（付記９）
前記上側筐体および前記下側筐体双方が電子部品を収容したものであって、
前記信号線路に配設された信号線は、前記上側筐体に収容された電子部品と前記下側筐体に収容された電子部品とを接続する信号線であることを特徴とする付記１から８のうちいずれか１項記載の電子機器。
【００７０】
（付記１０）
前記上側筐体が、無線アンテナを含む電子部品が収容されたものであることを特徴とする付記９記載の電子機器。
【００７１】
（付記１１）
前記表示画面に、前記上側筐体に対し前記下側筐体を開いた第１の使用状態では前記回転軸の方向を上下方向として情報を表示する第１の表示モードで情報を表示し、
前記上側筐体を前記下側筐体上に、前記表示画面を外側に向けて重ねた第２の使用状態では、前記回転軸とは垂直な方向を上下方向として情報を表示する第２の表示モードで情報を表示する表示制御手段を備えたことを特徴とする付記７記載の電子機器。
【００７２】
（付記１２）
上側筐体と、
前記上側筐体が開閉自在に連結され、該上側筐体との連結部近傍を通る信号線路が形成され該信号線路に信号線が配設された下側筐体と、
を備える電子機器における前記上側筐体を受ける受け部材において、
前記下側筐体に収容された基部と、
該基部に立設し該下側筐体上面よりも上に突出して前記上側筐体を下から受け止める受け部と、
前記基部から前方に突出して前記信号線路の上に延びる第１のヒレ部と備えたことを特徴とする受け部材。
【００７３】
（付記１３）
前記受け部材は、前記受け部が、前記上側筐体の該受け部に接する部分よりも低い硬度を有するものであることを特徴とする付記１２記載の受け部材。
【００７４】
（付記１４）
前記第１のヒレ部が、弾性変形自在であることを特徴とする付記１２または１３記載の受け部材。
【図面の簡単な説明】
【００７５】
【図１】本発明の一実施形態が適用されたパーソナルコンピュータの外観斜視図である。
【図２】表示ユニットを本体ユニット上に閉じた状態の電子装置を示す外観斜視図である。
【図３】表示ユニットを本体ユニットに対しほぼ９０°回動させた状態を示す外観斜視図である。
【図４】表示ユニットが表示画面を上に向けて本体ユニット重ねられた状態を示す外観斜視図である。
【図５】パーソナルコンピュータの内部構成図である。
【図６】図１に示す前方カバーを外した状態の表示ユニット３０を示す図である。
【図７】本体ユニットの、表示ユニット受けが設けられた付近の内部構成図である。
【符号の説明】
【００７６】
１０    パーソナルコンピュータ
２０    本体ユニット
３０    表示ユニット
２１    キーボード
２２    トラックパッド
２３    左クリックボタン
２４    右クリックボタン
３１    表示画面
３２    押ボタン
１０１    ＣＰＵ
１０２    主メモリ
１０３    ハードディスク装置
１０４    表示機構
１０５    入力インタフェース
１０６    操作子
１０８    小型記録媒体ドライブ
１０９    ＣＤ／ＤＶＤドライブ
１１０    出力インタフェース
１１１    バス
２００    小型記録媒体
２１０    ＣＤ−ＲＯＭ
【図１】
0004695627.tif 000002
【図２】
0004695627.tif 000003
【図３】
0004695627.tif 000004
【図４】
0004695627.tif 000005
【図５】
0004695627.tif 000006
【図６】
0004695627.tif 000007
【図７】
0004695627.tif 000008